(57)【要約】      （修正有）【課題】ＩＣタグ内部のＩＣ基板の破損を防止し、且つフレキシブルコンテナバッグへの取り付けが容易なＩＣタグを提供する。【解決手段】フレキシブルコンテナバッグに装着されるＩＣタグ１０であって、ＩＣチップ１１及びＩＣチップに接続され情報読取装置との間で電波により交信しうるアンテナ部１２を有するＩＣ基板１３と、上記ＩＣ基板を保護する補強用芯材１４とを備え、上記ＩＣタグ本体及び上記補強用芯材とは被覆材１５，１６により被覆されている。【選択図】図１
0003139814.tif 000002
【実用新案登録請求の範囲】
【請求項１】
フレキシブルコンテナバッグに装着されるＩＣタグであって、
ＩＣチップ及びＩＣチップに接続され情報読取装置との間で電波により交信しうるアンテナ部を有するＩＣ基板と、上記ＩＣ基板を保護する補強用芯材とを備え、
上記ＩＣタグ本体及び上記補強用芯材とは被覆材により被覆されていることを特徴とするＩＣタグ。
【請求項２】
上記補強用芯材は板状に形成されて上記ＩＣ基板の裏面側に配設され、
上記ＩＣ基板の表面側及び上記補強用芯材の裏面側は上記被覆材により被覆され、周縁部において接合されて密閉されていることを特徴とする請求項１記載のＩＣタグ。
【請求項３】
上記被覆材は、合成樹脂により形成され、ウェルダー溶着により接合されていることを特徴とする、請求項１または２いずれか1項記載のＩＣタグ。
【請求項４】
上記被覆材は、合成樹脂により形成され、熱板溶着により接合されていることを特徴とする、請求項１〜３いずれか1項記載のＩＣタグ。
【請求項５】
上記ＩＣタグの一端部には、吊下げ紐取り付け用の孔部が設けられ、上記孔部に取り付けられた吊下げ紐によって、上記フレキシブルコンテナバッグに吊下げられて使用されることを特徴とする請求項１〜４いずれか１項記載のＩＣタグ。
【請求項６】
上記補強用芯材は、上記ＩＣ基板の裏面よりも大きな寸法のシート状部材によって形成され、上記孔部は、上記被覆材と上記補強用芯材を貫通して設けられていることを特徴とする、請求項５記載のＩＣタグ。
【請求項７】
上記ＩＣタグは、上記フレキシブルコンテナバッグの表面ポケットのフラップ部に、ウェルダー溶着によって取り付けられて使用されることを特徴とする、請求項１〜４いずれか１項記載のＩＣタグ。
【請求項８】
上記ＩＣタグは、上記フレキシブルコンテナバッグに取り付けられた吊下げポケットの内部に収納されて使用されることを特徴とする請求項１〜４いずれか１項記載のＩＣタグ。
【請求項９】
上記ＩＣタグは、上記フレキシブルコンテナバッグの表面ポケットの内部に収納されて使用されることを特徴とする請求項１〜４いずれか１項記載のＩＣタグ。
【請求項１０】
上記被覆材は、ポリ塩化ビニル樹脂により形成されていることを特徴とする、請求項1〜９いずれか１項記載のＩＣタグ。
【請求項１１】
上記被覆材のうち、上記ＩＣ基板の表面側に位置する被覆材は、耐摩耗性及び耐熱性を有するポリ塩化ビニル樹脂により形成されていることを特徴とする請求項１０記載のＩＣタグ。
【請求項１２】
上記補強用芯材はポリプロピレンにより形成されていることを特徴とする請求項１〜１１いずれか１項記載のＩＣタグ。
【請求項１３】
上記ＩＣ基板には、収納製品に関する情報にアクセスするためのバーコードが印字されたシートが貼付されていることを特徴とする請求項１〜１２いずれか１項記載のＩＣタグ。
【請求項１４】
２個以上のＩＣタグが一組となって、上記フレキシブルコンテナバッグに取り付けられることを特徴とする、請求項１〜１３のいずれか１項記載のＩＣタグ。
【考案の詳細な説明】
【技術分野】
【０００１】
本考案は、化学繊維等によって形成され、粉末や粒状物等の搬送に用いられる、フレキシブルコンテナバッグに取り付けて使用するＩＣタグに関する。
【背景技術】
【０００２】
粉末状や粒状等の製品を収納し、搬送するための容器として、柔軟性を有した化学繊維等で袋状に形成されたフレキシブルコンテナバッグが広く用いられている。
上記フレキシブルコンテナバッグは、通常の金属性コンテナよりも軽量で、且つ不使用時には折り畳む等によりコンパクトに保管ができ、またビニール袋等と比較して、非常に強度が大きく、粉状体等の重量物を収納しても破損し難い等の様々な利点を有する。
【０００３】
上記フレキシブルコンテナバッグを用いて製品を搬送する場合、上記フレキシブルバッグの外表面に収納製品に関する情報にアクセスするためのバーコードを印字したシートを取り付け、上記バーコードを読み取り装置によって読み取らせることで収納した製品の情報を管理していた。
しかし、バーコードの読み取りは、バーコードの印字面に読み取り装置を極めて近接させて行う必要があり、且つ一度に１つのバーコードしか読み取ることができない。
また、バーコードは表面に汚れが付着したり、傷が付いたりすると読み取りができなくなり易かった。従って製品の情報管理に非常に手間と時間とを要していた。
【０００４】
また、近年バーコードに換わるものとして、製品の識別情報等を格納したＩＣチップを内蔵したＩＣタグを用いて、製品の情報管理を行う技術が普及しつつある。
ＩＣタグは、バーコードと異なり、複数のＩＣタグを非接触で、かつ比較的離れた位置からであっても、読取装置によって認識できるため、製品識別や製品情報の管理作業を格段に効率化できる。
また、ＩＣタグは、従来のバーコードと比較して、数十から数百倍の情報を格納することが可能であり、且つそれらの情報を、自由に書き換え、及び消去することが可能であるため、単なる製品の固定情報のみならず、検査履歴等を順次記録していくような、製品のトレース情報の管理も可能となるという優れた特徴を有する。
しかし一方で、ＩＣタグを構成するＩＣチップが、精密な電子部品から形成されているため、衝撃や水分、汚れ等により破損する恐れが大きい。
特に取り付け対象がフレキシブルコンテナバッグの場合には、折り畳み、折り曲げが繰り返し行われ、かつ粉体状や、水分を含んだ物等、広い範囲の製品の収納・搬送に用いられるという事情により、取り付けるＩＣタグにはこれらの衝撃、水分及び汚れ等から内部のＩＣチップを保護する必要があった。
【考案の開示】
【考案が解決しようとする課題】
【０００５】
本考案の課題は、ＩＣタグ内部のＩＣチップの破損を防止し、且つフレキシブルコンテナバッグへの取り付けが容易なＩＣタグを提供することである。
【課題を解決するための手段】
【０００６】
上記課題を解決するために、請求項１記載の本考案に係るＩＣタグは、フレキシブルコンテナバッグに装着されるＩＣタグであって、ＩＣチップ及びＩＣチップに接続され情報読取装置との間で電波により交信しうるアンテナ部を有するＩＣ基板と、上記ＩＣ基板を保護する補強用芯材とを備え、上記ＩＣタグ本体及び上記補強用芯材とは被覆材により被覆されていることを特徴とするものである。
【０００７】
従って請求項１記載の本考案に係るＩＣタグにあっては、被覆材により被覆されることで、ＩＣ基板が露出することがないため、ＩＣチップが水分や埃等によって、破損することがない。また、補強用芯材により、フレキシブルコンテナバッグが折り畳まれる等でＩＣタグが衝撃を受けても、ＩＣチップが保護され、折れ曲がり等による破損が防止される。
【０００８】
また、請求項２記載の本考案に係るＩＣタグは、上記補強用芯材は板状に形成されて上記ＩＣ基板の裏面側に配設され、上記ＩＣ基板の表面側及び上記補強用芯材の裏面側は上記被覆材により被覆され、周縁部において接合されて密閉されていることを特徴とする
【０００９】
従って、被覆材周縁部から、水分や埃が浸入することで、ＩＣチップが破損されることを防止する。
【００１０】
また、請求項３記載の本考案に係るＩＣタグは、上記被覆材は、ウェルダー溶着により密閉されていることを特徴とする。
また、請求項４記載の本考案に係るＩＣタグは、上記被覆材は、熱板溶着により密閉されていることを特徴とする
【００１１】
従って、請求項３及び４記載の本考案に係るＩＣタグにあっては、上記被覆材がウェルダー溶着、若しくは熱板溶融されることにより互いに接着され、被覆材内部への水分や汚れの浸入が防止される。
【００１２】
また、請求項５記載の本考案に係るＩＣタグは、上記ＩＣタグの一端部には、吊下げ紐取り付け用の孔部が設けられ、上記孔部に取り付けた吊下げ紐によって、上記フレキシブルコンテナバッグに吊下げられることで使用されることを特徴とする。
【００１３】
フレキシブルコンテナバッグは、箱型や円柱型に形成され、上部に吊り下げ用のベルトが設けられ、周囲には締め付け用のロープが付属していることが多い。
従って、請求項５記載の本考案に係るＩＣタグにあっては、吊下げ紐を上記孔部に通した上で、上記締め付け用のロープに吊下げ紐を結び付けることで、フレキシブルコンテナバッグへ取り付けることができる。
【００１４】
また、請求項６記載の本考案に係るＩＣタグにあっては、上記補強用芯材は、上記ＩＣチップの裏面よりも大きな寸法のシート状部材により形成され、上記孔部は、上記被覆材と上記補強用芯材を貫通して設けられていることを特徴とする。
【００１５】
従って請求項６記載の本考案に係るＩＣタグにあっては、吊下げ紐によって上記孔部の内周部が摩擦を受けても孔部が破損し難い。
【００１６】
また、請求項７記載の本考案に係るＩＣタグにあっては、上記ＩＣタグは、上記フレキシブルコンテナバッグの表面に設けられたポケットのフラップ部に、ウェルダー溶着によって取り付けられて使用されることを特徴とする。
また、請求項８記載の本考案に係るＩＣタグにあっては、上記ＩＣタグは、上記フレキシブルコンテナバッグに取り付けられた吊下げポケット内部に収納されて使用されることを特徴とする。  
また、請求項９記載の本考案に係るＩＣタグにあっては、上記ＩＣタグは、上記フレキシブルコンテナバッグの表面ポケットの内部に収納されて使用されることを特徴とする。
【００１７】
従って、搬送形態や収納物の特性に応じて、多彩な取り付け形態をとることが可能である。
【００１８】
また、請求項１０記載の本考案に係るＩＣタグにあっては、上記被覆材は、ポリ塩化ビニル樹脂により形成されていることを特徴とする。
【００１９】
また、請求項１１記載の本考案に係るＩＣタグにあっては、上記被覆材のうち、上記ＩＣ基板の表面側に位置する被覆材は、耐摩耗性及び耐熱性を有するポリ塩化ビニル樹脂により形成されていることを特徴とする。
【００２０】
従って、搬送作業等により傷等がつきやすい易い、上記ＩＣ基板の表側の被覆材が、より強固に保護される。
【００２１】
また、請求項１２記載の本考案に係るＩＣタグにあっては、上記補強用芯材はポリプロピレンにより形成されていることを特徴とする。
【００２２】
また、請求項１３記載の本考案に係るＩＣタグにあっては、上記ＩＣ基板には、収納製品に関する情報にアクセスするためのバーコードを印字したシートが、貼付されていることを特徴とする。
【００２３】
従って、万一ＩＣタグが破損して、情報を読み取れない場合であっても、貼付したバーコードにより、所定の製品情報を認識することができる。
【００２４】
また、請求項１４記載の本発明に係るＩＣタグにあっては、上記ＩＣタグは、２以上のＩＣタグが一組の形態で、上記フレキシブルコンテナバッグに取り付けられることを特徴とする。
【００２５】
従って、一つのＩＣタグが破損した場合であっても、他のＩＣタグにより、当該製品の情報を認識することができる。
【考案の効果】
【００２６】
請求項１及び１２記載の本考案に係るＩＣタグは、フレキシブルコンテナバッグに装着されるＩＣタグであって、ＩＣチップ及びＩＣチップに接続され情報読取装置との間で電波により交信しうるアンテナ部を有するＩＣ基板と、上記ＩＣ基板を保護する補強用芯材とを備え、上記ＩＣタグ本体及び上記補強用芯材とは被覆材により被覆されていることから、ＩＣ基板が露出せず、水分や埃等による、ＩＣチップの破損を防止すると共に、内部の補強用芯材により、折り畳み等の衝撃にも耐えうる、フレキシブルコンテナバッグに最適なＩＣタグを提供することができる。
特に請求項１２記載の考案にあっては、上記補強用芯材がポリプロピレンにより形成されていることから、加工が容易であり、より製造コストを低減することが可能となる。
【００２７】
また、請求項２〜４記載の本考案に係るＩＣタグは、上記補強用芯材は板状に形成されて上記ＩＣ基板の裏面側に配設され、上記ＩＣ基板の表面側及び上記補強用芯材の裏面側は上記被覆材により被覆され、周縁部において接合されて密閉されていることから、被覆材周縁部からの水分や埃の浸入を確実に防止し、より耐久性が高いＩＣタグを提供することが可能となる。
また、請求項３及び４に示すとおり、上記被覆材の溶着は、ウェルダー溶着や、熱板溶着等、被覆材の特性に合う方法を選択することで、容易に実施することができ、製造コストを低減することができる。
【００２８】
また、請求項５及び６記載の本考案に係るＩＣタグは、上記ＩＣタグの一端部には、吊下げ紐取り付け用の孔部が設けられ、上記孔部に取り付けた吊下げ紐によって、上記フレキシブルコンテナバッグに吊下げられることで使用されることから、フレキシブルコンテナバッグに簡易に取り付けが可能となる。
特に、請求項６記載の考案にあっては、上記補強用芯材は、上記ＩＣ基板の裏面よりも大きな寸法のシート状部材により形成され、上記孔部は、上記被覆材と上記補強用芯材を貫通して設けられているため、搬送時等に上記吊下げ紐と上記孔部が擦り合わされても、孔部が破損し難く、より耐久性の高いＩＣタグを提供することができる。
【００２９】
また、請求項７〜９記載の本考案に係るＩＣタグは、取り付け対象のフレキシブルコンテナバッグの形態によって、自由に取り付け方法を選択することができるため、フレキシブルコンテナへの取り付けが極めて容易で、かつ適用範囲が広いＩＣタグを提供することが可能となる。
【００３０】
また、請求項１０及び１１記載の本考案に係るＩＣタグにあっては、上記被覆材は、ポリ塩化ビニル樹脂により形成されていることから、加工が容易であり、製造コストを低減することができる。
特に、請求項１１記載の考案については、外部からの衝撃や摩擦を受け易い、ＩＣ基板表面側の被覆材に、耐摩耗性や耐熱性を持たせることで、より耐久性が高いＩＣタグを提供することが可能となる。
【００３１】
また、請求項１３記載の本考案に係るＩＣタグにあっては、上記ＩＣ基板には、上記ＩＣタグが取り付けられたフレキシブルコンテナバッグに収納製品に関する情報にアクセスするためのバーコードを印字したシートが貼付されていることから、ＩＣチップが破損して情報の読み取りができなくなった場合であっても、バーコードを印字したシートが貼付されているため、製品情報が把握でき、ＩＣタグの信頼性を向上させることができる。
また、請求項１４記載の考案にあっては、２以上のＩＣタグが一組で取り付けられることで、ＩＣタグの信頼性を向上させることが可能である。
【考案を実施するための最良の形態】
【００３２】
以下、図面に基づき本考案の実施の形態について説明する。
本実施形態に係るＩＣタグ１０は、図１〜図２に示すように、ＩＣチップ１１及びＩＣチップ１１に接続され情報読取装置（図示せず）との間で電波により交信しうるアンテナ部１２を有するＩＣ基板１３と、上記ＩＣ基板１３を保護し、ポリプロピレンで形成された補強用芯材１４とを備えている。
上記補強用芯材１４はシート状部材により形成され、上記ＩＣ基板１３の裏面側に配設される。上記ＩＣ基板１３の表面側及び上記補強用芯材１４の裏面側は、ポリ塩化ビニル樹脂で形成された被覆材１５、１６により被覆されている。上記被覆材１５，１６のうち、ＩＣ基板１３の表面側の被覆材１５は、耐摩擦、耐熱性を有したポリ塩化ビニル樹脂にて形成されている。
また、上記補強用芯材１４は、上記ＩＣ基板１３の裏面よりも大きな寸法に形成されており、上記ＩＣタグ１０の一端部には、吊下げ紐２２を取り付ける為の孔部１８が、上記被覆材１５、１６と上記補強用芯材１４を貫通して設けられている。
上記被覆材１５，１６は、周縁部１７ａおよび上記孔部１８の外周縁部１７ｂにおいてウェルダー溶着により接合されている。
また上記ＩＣ基板１３には、収納製品に関する情報にアクセスするためのバーコードを印字したシート１９が貼付されている。
【実施例１】
【００３３】
上記構成のＩＣタグをフレキシブルコンテナバッグへ取り付けて使用する方法について以下説明する。
図３に示すとおり、本実施例において用いられるフレキシブルコンテナバッグ２０は、本体２１の周囲に締め付け用ロープ２２が設けられ、製品を収納して搬送するための吊下げベルト２４が、本体上部に設けられている。
ＩＣタグ１０、１０は、同一の情報を格納したＩＣチップを搭載したＩＣタグであり、上記ＩＣタグ１０、１０の孔部１８、１８には、吊下げ紐２３，２３が取り付けられ、上記吊下げ紐２３，２３が上記締め付け用ロープ２２に所定間隔をおいて結び付けられることで、ＩＣタグ１０、１０は上記フレキシブルコンテナ２０に取り付けられている。
ＩＣタグ１０、１０に格納された製品情報は、バーコードと異なり、読み取り装置（図示せず）を近接させなくても、読み取りが可能であるため、取り付けの位置や、取り付け向き等を厳密に取り決める必要が無い。従って、例えば読み取り装置を搬送ラインの近傍に固定設置したままで、順次、搬送されるフレキシブルコンテナバッグの製品情報を読み取ることができる。特に本実施例においては、ＩＣタグ１０，１０が、所定間隔をおいて取付けられているため、一方のＩＣタグ１０が読み取り装置方向に位置していなくても、もう一方のＩＣタグ１０によって、情報の読み取りが可能である。
また、ＩＣタグ１０、１０は吊下げ紐２３により結び付けられている為、取り付け、及び取り外しが極めて容易である。
更に、複数のＩＣタグを同時に読み取ることができるため、搬送ラインを所定の速度で動かしながら、迅速に複数の収納製品の情報を把握できることから、製品の情報管理コストを低減することができる。
また、ＩＣタグ１０、１０のうち、一方が破損等で情報が読み取れなくなっても、他方が正常である限り、そのまま製品の情報管理を継続することができる。
また、万一ＩＣタグ１０、１０が、共に破損した場合であっても、ＩＣ基板１３上には、収納製品に関する情報にアクセスするためのバーコードを印字したシート１９が貼付されているため、収納製品の情報が不明となることは無い。
【実施例２】
【００３４】
本実施例に係るＩＣタグ１０，１０の構成は、実施例１と同様である。図4に示すとおり、ＩＣタグ１０、１０はフレキシブルコンテナ２０の本体２１表面に設けられた収納ポケット２５のフラップ部２６にウェルダー溶着されることで取り付けることもできる。なお、本実施例に係るＩＣタグ１０，１０は、被覆材１５、１６がポリ塩化ビニルで形成されているため、ウェルダー溶着により上記フラップ部２６に溶着されている。
上記形態で取り付けた場合、実施例１の形態と比較して、よりＩＣタグ１０、１０が外れ難く、またフラップ部２６により保護されるため、ＩＣタグ１０、１０が破損する恐れが少ないという効果を有する。
また、収納製品の情報の読み取りに関しては、実施例１と同様の作用、及び効果を得ることができる。
【実施例３】
【００３５】
本実施例においてもＩＣタグ１０，１０の構成は、実施例１と同様である。ＩＣタグ１０，１０は、図５に示すとおり、フレキシブルコンテナ２０の本体２１の周囲に設けられた締め付け用のロープ２２に所定間隔を置いて吊下げられた吊下げポケット２７，２７の内部に、収納されることで取り付けることもできる。
上記の取り付け方法の場合、実施例１及び実施例２と比較して、ＩＣタグの取り付けと取り外しが、より容易となる。
また、収納製品の情報の読み取りに関しては、実施例１と同様の作用、及び効果を得ることができる。
【実施例４】
【００３６】
本実施例においてもＩＣタグ１０，１０の構成は、実施例１と同様である。図６に示すとおり、２つのＩＣタグ１０，１０の一方を、フレキシブルコンテナ２０の本体２１表面に設けられた収納ポケット２５の内部に収納し、他方をフレキシブルコンテナ２０の本体２１の周囲に設けられた締め付け用ロープ２２に吊下げられた吊下げポケット２７内部に収納されることで取り付けることもできる。
本実施例においても、収納製品の情報の読み取りに関しては、実施例１と同様の作用、及び効果を得ることができる。
【００３７】
なお、ＩＣタグの被覆材１５、１６の溶着手段、及び実施例２における、収納ポケットのフラップ部２６へのＩＣタグ１０，１０の溶着手段は、被覆材の素材によって、ウェルダー溶着及び熱板溶着を自由に選択することができる。また、各実施例において取り付けられるＩＣタグの数は2つ以上であってもよい。
【産業上の利用可能性】
【００３８】
本考案は、フレキシブルコンテナバッグに取り付けて使用するＩＣタグに適用可能である。
【図面の簡単な説明】
【００３９】
【図１】本発明に係るＩＣタグの一実施の形態を示し、実施例１の形態おけるＩＣタグの平面図ある
【図２】本発明に係るＩＣタグの一実施の形態を示し、図１のＩＣタグのＡ−Ａ側面断面図である。
【図３】本発明に係るＩＣタグの一実施の形態を示し、実施例１の形態おけるＩＣタグのフレキシブルコンテナへの取り付け例を示す正面図である。
【図４】本発明に係るＩＣタグの他の実施の形態を示し、実施例２の形態おけるＩＣタグのフレキシブルコンテナへの取り付け例を示す正面拡大図である。
【図５】本発明に係るＩＣタグの他の実施の形態を示し、実施例３の形態おけるＩＣタグのフレキシブルコンテナへの取り付け例を示す正面図である。
【図６】本発明に係るＩＣタグの他の実施の形態を示し、実施例４の形態おけるＩＣタグのフレキシブルコンテナへの取り付け例を示す正面図である。
【符号の説明】
【００４０】
１０ ＩＣタグ
１１ ＩＣチップ
１２ アンテナ部
１３ ＩＣ基板
１４ 補強用芯材
１５ 被覆材
１６ 被覆材
１７ａ 被覆材の周縁部
１７ｂ 孔部の外周縁部
１８ 孔部
１９ バーコード印字シート
２０ フレキシブルコンテナ
２１ フレキシブルコンテナ本体
２２ 締め付け用ロープ
２３ 吊下げ紐
２４ 吊下げベルト
２５ 収納ポケット
２６ 収納ポケットのフラップ部
２７ 吊下げポケット
【図１】
0003139814.tif 000003
【図２】
0003139814.tif 000004
【図３】
0003139814.tif 000005
【図４】
0003139814.tif 000006
【図５】
0003139814.tif 000007
【図６】
0003139814.tif 000008